(57)【特許請求の範囲】
【請求項１】
鼻緒（２０）の末端整形処理と共に履物台座（１０）の鼻緒取付孔（１４、１５）に前記鼻緒（２０）の末端を固定する手段を有する、シート状部材で構成された鼻緒（２０）の末端整形処理用端部品（３０）であって、
上記シート状部材の末端にその末端のシート状部材が被うように装着される第１部材（３１）と、その第１部材（３１）に前記シート状部材を介在して嵌め込まれてそのシート状部材が第１部材（３１）から外れないように挟み込む第２部材（３２）とを少なくとも有し、前記第１部材（３１）がその両端にそれぞれ鍔（３１ｂ、３１ｃ）を有したものであり、
上記第２部材（３２）が前記第１部材（３１）の一方の鍔（３１ｂ）を乗り越えて前記シート状部材を介在して筒状体（３１ａ）に嵌め込まれて、上記鼻緒（２０）の末端整形処理と共に履物台座（１０）の鼻緒取付孔（１４，１５）に前記鼻緒（２０）の末端を固定するものであることを特徴とする鼻緒の末端整形処理用端部品。
【請求項２】
上記第１部材（３１）に第２部材（３２）の嵌め込む側の端からその嵌め込み方向のスリット（３３）を形成したことを特徴とする請求項１に記載の鼻緒の末端整形処理用端部品。
【請求項３】
請求項１又は２に記載の鼻緒の末端整形処理用端部品（３０）が履物台座（１０）の鼻緒取付孔（１４、１５）を通った鼻緒（２０）の末端に固定され、前記端部品（３０）が履物台座（１０）の裏面に係止することによって鼻緒（２０）の末端を履物台座（１０）から抜け止めして鼻緒（２０）が履物台座（１０）に挿げられていることを特徴とする鼻緒の挿げ構造。
【請求項４】
請求項１又は２に記載の鼻緒の末端整形処理用端部品（３０）を鼻緒（２０）の末端に固定してその末端を整形し、その鼻緒（２０）の末端に固定した端部品（３０）を、履物台座（１０）の裏面から鼻緒取付孔（１４、１５）を通した挿げ具の先端で掴み、その状態で、前記挿げ具を履物台座（１０）の裏面側に引き抜くことにより、前記鼻緒取付孔（１４、１５）を拡径して前記端部品（３０）を履物台座（１０）の裏面に導き、その端部品（３０）を履物台座（１０）の裏面に係止することによって鼻緒（２０）の末端を履物台座（１０）から抜け止めして鼻緒（２０）を履物台座（１０）に挿げることを特徴とする鼻緒の挿げ方法。
【発明の詳細な説明】
【技術分野】
【０００１】
この発明は、下駄、雪駄、草履、サンダル等の鼻緒付履物における和鼻緒仕様の鼻緒の末端整形処理用端部品、その端部品を使用した鼻緒の挿げ構造、同鼻緒の挿げ方法に関するものである。
【背景技術】
【０００２】
鼻緒付履物は、台座に前緒と横緒から成る鼻緒を挿げた上記の下駄や草履やサンダル等の色々な形態のものがあり（本願図１参照）、５本の足指の間を鼻緒の前緒で割ってその鼻緒で足を台座に固定して履く履物である。その台座の構成素材は木やゴム、ウレタンなどで構成され、鼻緒は昔ながらの紙芯に布を巻いた物から塩化ビニルなどの合成樹脂素材で一体成型したものまで色々の物が市場には出回っている（本願図３参照）。
【０００３】
このような鼻緒付履物において、その鼻緒の挿げ方法は、履物台座の裏面から鼻緒取付孔（壺）を介して挿げ具を挿し通し、その挿げ具の先端で鼻緒末端を掴み、その状態で、前記挿げ具を履物台座の裏面側に引き抜くことにより、鼻緒末端を履物台座の裏面に導き、その鼻緒末端を履物台座の裏面に係止している（特許文献１、実用新案の性質、作用及び効果の要領、第二図等、特許文献２第１図等参照）。
【０００４】
その鼻緒末端を履物台座の裏面に係止する手段は、一般的には、履物台座の裏面に導いた鼻緒末端に鼻緒取付孔より大きい結び玉を形成し，その結び玉を履物台座に係止したり、２つの鼻緒末端同士を互いに結び付ける等したりしている（特許文献３段落０００９、図４等参照）。
他の係止手段として、鼻緒の末端に突部を形成し、その突部を履物台座の鼻緒取付孔を拡径して履物台座の裏面に導き、その突部を履物台座の裏面に係止することによって鼻緒の末端を履物台座から抜け止めしたり（特許文献２、第３図参照）、履物台座の裏面に導いた鼻緒末端をねじ止めしたり（特許文献４、図１、図２参照）、履物台座の裏面に導いた鼻緒末端を金属部品でカシメ止めしたり（特許文献５、第３図等参照）するものもある。
このように鼻緒付履物の構造は色々あるが、和鼻緒の定義は鼻緒業界においては形状が色々変化しているので特定しにくい状況である。このため、本願の中での和鼻緒は合成樹脂で一体成型して作成されている鼻緒以外の少なくともシート状部材から構成される鼻緒を示すことにする。
【先行技術文献】
【特許文献】
【０００５】
【特許文献１】昭和５年実用新案出願公告第１２１０号公報
【特許文献２】実開昭５６−２８０４号公報
【特許文献３】特開２００１−７８８０２号公報
【特許文献４】特開２０１３−２３６８９３号公報
【特許文献５】実開平０２−１３４０１号公報
【特許文献６】特開２００５−１８５３８０号公報
【発明の概要】
【発明が解決しようとする課題】
【０００６】
ところで、この種の鼻緒付履物において、近年の和風ブームにより、下駄以外にも、その鼻緒に和鼻緒を採用する履物がある。特に、外国人は和鼻緒仕様の履物を好む。その和鼻緒は、紙等を撚った心材を布等のシート状部材で包んだものや、様々なシート状部材を他の素材との組み合わせで鼻緒状に形成させたものがあり、そのシート状部材の模様などのデザインを変えることによって履物の趣を変えることができる。
【０００７】
このようなシート状部材で構成した鼻緒を、従来から一般的なように、鼻緒末端に結び玉を形成したり、２つの鼻緒末端同士を互いに結び付ける等したりして履物台座に係止する手段は、煩わしい上に、鼻緒取付孔に鼻緒の末端をピッタリ嵌めるには熟練が必要である。ピッタリ嵌らないと、前緒への指の掛かり具合や横緒の甲への掛かり具合がしっくりいかず、履き心地の悪いものとなる。このため、鼻緒の挿げ状態を調整する治具の発明もなされている（特許文献６参照）。
また、鼻緒の末端に突部を形成する手段、ねじ止め手段及び金属部品カシメ止めは、シート状部材から構成される和鼻緒では困難である。
さらに、和鼻緒の場合、シート状部材の末端のほつれを整形して台座に固定する必要がある。
【０００８】
この発明は、以上の実状の下、和鼻緒と同様に、シート状部材を筒状などにした鼻緒をその末端整形をしつつ、鼻緒の末端を履物台座に円滑に固定することを課題とする。
【課題を解決するための手段】
【０００９】
上記課題を達成するために、この発明は、シート状部材で構成された鼻緒の末端整形処理用端部品であって、鼻緒の末端整形処理をこの端部品で行うと共に履物台座の鼻緒取付孔（鼻緒挿げ孔）に前記鼻緒の末端を固定する手段をも有する構成を採用したのである。
シート状部材の鼻緒は、そのシート状部材の末端が広がったりするため、その整形処理が必要であり、この構成の鼻緒の末端整形処理用端部品はその整形処理（ほつれを防止して形状を整形する）を行うとともに、鼻緒の履物台座への固定処理も行う。
【００１０】
この鼻緒の末端整形処理用端部品の具体的な構成としては、上記シート状部材の末端にその末端が被うように装着される第１部材と、その第１部材に前記シート状部材を介在して嵌め込まれてそのシート状部材が第１部材から外れないように挟み込む第２部材とを少なくとも有する構成とし得る。少なくともとしたのは、鼻緒取付孔に鼻緒の末端をピッタリ嵌めるために、調整輪等のスペーサを介在したりする場合があるからである（図８参照）。
この構成であると、第１部材にシート状部材の末端を被せ、その第１部材にシート状部材を介在して第２部材を嵌め込めば、その鼻緒末端の整形処理とともに、鼻緒末端へのこの部品の固定が成される。
このとき、上記第１部材がその両端にそれぞれ鍔を有したものであり、上記第２部材が前記第１部材にその一方の鍔を乗り越えて嵌め込まれるものとすることができる。
また、第１部材に第２部材の嵌め込む側の端からその嵌め込み方向のスリットを形成すれば、第２部材を第１部材に嵌め込む際、そのスリットを介して第１部材の端部が縮径方向に撓むため、その嵌め込みが容易となる。
【００１１】
この鼻緒の末端整形処理用端部品による履物台座への鼻緒の取付けは、種々の態様が考えられるが、例えば、鼻緒の末端にこの端部品を取付けてその末端を整形した状態において、従来と同様に、履物台座の裏面から鼻緒取付孔を介して挿げ具を挿し通し、その挿げ具の先端でこの部品付の鼻緒末端を掴み、その状態で、前記挿げ具を履物台座の裏面側に引き抜くことにより、鼻緒末端を履物台座の裏面に導き、その鼻緒末端を履物台座の裏面に係止して鼻緒を履物台座に挿げる。
この挿げ作業時、台座にウレタン素材などの少し柔軟な素材を用いることで、挿げ作業の時のみ一時的に鼻緒取付孔が挿げ時の意識的な強い力で広がり鼻緒を挿げることが容易となる。
この挿げ作用には熟練を必要としないため、シート状部材の模様などのデザインを種々のものに変えることによって履物の趣を容易に変えることができる。
【発明の効果】
【００１２】
この発明は、以上のように構成した末端整形処理用端部品は、この部品を鼻緒末端に取り付ければ、その整形処理がなされた固定部分が構成されたものとなる。このため、従来と同様に、挿げ具でもって鼻緒の取り替えが容易なものである。
この鼻緒の取り替えが容易なものとなることによって、例えば、和鼻緒以外のビーチサンダルなどビニル製の鼻緒を挿げる際に用いる挿げ具を和鼻緒でも利用可能となり、鼻緒付履物を販売する場合に、同じ台座に和鼻緒やビニル製の一体成型された鼻緒（特許文献２第３図参照）などを混在して同じ挿げ具で顧客の好みに合わせてそれらの任意の鼻緒を選択的に挿げて提供することが可能となる。
【図面の簡単な説明】
【００１３】
【図１】この発明に係る履物の一実施形態を示し、（ａ）は斜視図、（ｂ）は要部断面図
【図２】同実施形態の履物台座と鼻緒を分解した斜視図
【図３】同実施形態の鼻緒の製作説明用斜視図
【図４】同実施形態の鼻緒の末端整形処理用端部品の分解斜視図
【図５】同端部品の鼻緒の横緒末端取付説明図
【図６】同前緒の末端取付説明図
【図７】他の実施形態の履物の鼻緒の末端整形処理用端部品の分解斜視図
【図８】同端部品による鼻緒末端の履物台座への取付時の要部断面図
【発明を実施するための形態】
【００１４】
この発明に係る履物の一実施形態を図１〜図６に示し、この実施形態の履物Ａは、足を載せる台座１０と、その台座１０の上面に取付けた鼻緒２０とからなる下駄仕様の履物であり、台座１０は天然ゴム、コルク、合成樹脂（ＥＶＡ（エチレン・酢酸ビニル共重合樹脂）、ウレタン、合成ゴム、ポリエチレン、塩化ビニルなど）などの弾性素材からなる。
【００１５】
この台座１０は上記のような色々な素材からなって、例えば、ＥＶＡの板のプレス成形や射出成形によって金型により成形し得るため、その金型に、台座１０を有するキャビティを形成し、そのキャビティ内にＥＶＡ板を装填した金型プレス成形又はＥＶＡを射出成形することによってその台座１０を製造する。
【００１６】
台座１０には鼻緒２０の前緒２１及び横緒２２の取付孔１４、１５、１５が形成されており、その取付孔１４、１５に鼻緒２０の前緒２１及び横緒２２の端部（末端）を挿し通して固定する（挿げる）。
【００１７】
横緒２２は、図３に示すように、心材２２ａとその心材２２ａを包むシート状部材２２ｂとからなる。心材２２ａは塩化ビニル等の樹脂製（例えば、１ｍｍ厚）であって（同図（ａ）参照）、腰があり、図２に示すＶ字状を維持できる硬さ（保形性）を有する。シート状部材２２ｂは、皮シート、塩化ビニルや薄いウレタン等の樹脂シート（例えば、１ｍｍ厚）や布からなって筒状をしており（同図（ｂ）参照）、細長いシートをその長さ方向の端縁を接着や縫合することによって筒状とする。
【００１８】
なお、シート状部材２２ｂは、従来と同様に縫い合わせた筒状体を裏返してその縫い目を隠しても良いが、かがり縫いで筒状とし、裏返すことなくその筒状体２２ｂに心材２２ａを入れるようにし得る。
また、シート状部材は筒状でなくても、例えば、心材にシート状部材を貼り合わせたり、シート状部材を筒にまでせずに単に左右から折り込んだりして、鼻緒の形態に作りこむことも可能であり、さらに、シート状部材の端部に至るまで心材が無くても良く、シート状部材に鼻緒としての硬さ肉厚が確保できれば心材も必要ない。ただし、この発明に係る鼻緒は外観が和風の鼻緒となる場合を想定しており、端部に末端整形処理が必要となるシート状部材の端部を有する構造の鼻緒を対象とする。
【００１９】
鼻緒２０を台座１０に固定する端部品３０は、図４に示すように、ナイロン等の樹脂製第１部材３１と同第２部材３２とから成り、第２部材３２は円環状である。第１部材３１は、筒状体３１ａの両端全周に鍔３１ｂ、３１ｃを有し、一方の鍔３１ｂは軸方向外側に向かって縮径する断面台形状でその最外径は第２部材３２の内径より大径となっており、他の鍔３１ｃはその鍔３１ｂより大径となっている。このため、第２部材３２を鍔３１ｂを乗り越えて筒状体３１ａに嵌めると、第１、２部材３１、３２は強固に嵌り合う。端部品３０は硬質の樹脂製若しくは金属製とし得る。
【００２０】
前緒２１は、図６に示すように、アクリル紐等の筒状体（円柱体）等からなって、その中程に貫通する孔２１ａが形成されており（同図（ａ）参照）、同図（ｂ）に示すように、横緒２２の長さ方向の中央の括れた部分に掛け渡した後、一端をその孔２１ａに挿し通すことによって横緒２２に取り付けて鼻緒２０を構成する。
【００２１】
この実施形態の履物（下駄）Ａは、以上の構成であり、まず、図６（ｂ）に示す、前緒２１を横緒２２に取り付けた状態において、その前緒２１の末端及び横緒２２の両末端に端部品３０を取り付ける。
その横緒２２の末端への端部品３０の取付は、図５に示すように、横緒２２の末端に端部品３０の第２部材３２を通した後（同図（ａ））、シート状部材２２ｂを第１部材３１の外周面に被せる（同図（ｂ））。このとき、シート状部材２２ｂの末端２２ｂ’は第１部材３１をオーバーラップさせて所要長さ突出するようにする。その突出長さの調整によって、横緒２２の長さを調節し得る。
【００２２】
つぎに、同図（ｃ）に示すように、第２部材３２を第１部材３１の鍔３１ｂを乗り越えて筒状体３１ａにシート状部材２２ｂを介在して嵌め込む。また、シート状部材２２ｂの末端２２ｂ’は折り返して第２部材３２に被せる。
この状態は、シート状部材２２ｂの末端２２ｂ’の折り返しによって、第２部材３２が第１部材３１にシート状部材２２ｂを介在して確実に嵌め込まれたことであり、第１部材３１と第２部材３２によってシート状部材２２ｂが挟まって固定されているため、横緒２２の末端２２ｂ’から端部品３０が抜け出ることはなく、また、シート状部材２２ｂの末端２２ｂ’は整形され、この整形によって、仮に、シート状部材２２ｂの端がほつれていてもそのほつれが目立たなくなる。
【００２３】
一方、前緒２１の末端への端部品３０の取付は、図６（ｂ）から同（ｃ）に示すように、前緒２１の末端に端部品３０の第２部材３２を通した後、その両末端を第１部材３１の外周面に二叉状に沿わせて整形し、この状態で、第２部材３２を第１部材３１の鍔３１ｂを乗り越えて筒状体３１ａに前緒２１の末端を介在して嵌め込む。このとき、上記横緒２２のシート状部材２２ｂの末端２２ｂ’と同様に、前緒２１の末端２１ｂ’を第１部材３１をオーバーラップさせて所要長さ突出し、その突出長さの調整によって、前緒２１の長さを調節するようにし得る。
この状態（図２参照）は、第１部材３１と第２部材３２によって前緒２１の末端が挟まって固定されているため、前緒２１の末端から端部品３０が抜け出ることはない。
【００２４】
このように、鼻緒２０（前緒２１、横緒２２）の各末端に端部品３０が取付けられた状態において、従来と同様に、履物台座１０の裏面から鼻緒取付孔１４、１５を介して挿げ具を挿し通し、その挿げ具の先端で端部品３０を掴み、その状態で、前記挿げ具を履物台座１０の裏面側に引き抜くことにより、取付孔１４、１５を拡径しつつ鼻緒末端を履物台座１０の裏面に導き、その端部品３０を取付孔１４、１５の小径段部１４ａ、１５ａに係止し、鼻緒２０の末端を履物台座の裏面に係止する（図１（ｂ）参照）。すなわち、鼻緒２０を履物台座１０に挿げる。
【００２５】
このとき、鼻緒２０の各末端２１ｂ’、２２ｂ’が第２部材３２側に折り返されているため、その各末端から端部品３０が外れにくく、取付孔１４、１５内に確実に固定される。このため、第２部材３２の第１部材３１へのシート状部材２２ｂ又は前緒２１の末端２１ｂ’、２２ｂ’を介在した嵌め込みが十分でなく、鼻緒２０を挿げた後、履いている途中で、鼻緒２０が抜ける等の不具合も生じにくい。また、その各末端２１ｂ’、２２ｂ’が小径段部１４ａ、１５ａを超えておれば（図１（ｂ）参照）、鍔３１ｂ外面と取付孔１４、１５の内面でその末端が挟まれるため、その固定もより確実となる。
【００２６】
上記端部品３０の他例として図７に示すものが考えられる。この端部品３０は、第２部材３２を２部材に分割し、その分割端を噛み合いによって連結するようにしたものである（同図（ａ）から同（ｂ）参照）。この態様であると、図５（ｂ）に示す第１部材３１にシート状部材２２ｂを被せた後、第２部材３２をシート状部材２２ｂに被せる（嵌める）ことができ、その後、その第２部材３２を第１部材３１の筒状体３１ａに嵌めることができる。すなわち、第２部材３２をシート状部材２２ｂに通す必要が無くなる。
【００２７】
また、図７（ｃ）に示すように、一方の鍔３１ｂ及び筒状体３１ａの一部に軸心方向のスリット３３を形成することができる。この構成であると、第２部材３２を第１部材３１に嵌め込む際、そのスリット３３を介して第１部材３１の端部（鍔３１ｂ部分）が縮径方向に撓むため、その嵌め込みが容易となる。
【００２８】
さらに、図８に示すように、鼻緒２０の末端に調整輪３４を嵌めて取付孔１４、１５の小径段部１４ａ、１５ａと端部品３０の間に介在して、前緒２１への指の掛かり具合や横緒２２の甲への掛かり具合がしっくりいくようにすることができる。その調整輪３４の数や厚さ（軸心方向の長さ）は任意であり、第２部材３２と同様に２部材からなるものとし得る。
【００２９】
以上のように、この端部品３０は鼻緒２０の末端に取り付けることによって、鼻緒末端の整形を行うとともに固定具（突部）を形成している。このため、図２に示すように、各種デザインの履物台座１０とこの端部品３０付の各種のデザインの鼻緒２０を複数準備し、顧客の要求に応じて、要求された台座１０に同鼻緒２０を挿げて鼻緒付の履物Ａとする。このため、客を長時間待たすことなく、客が要求した各種デザインの履物Ａを迅速に販売することができる。
【００３０】
因みに、台座１０及び鼻緒２０を耐水性の材料で製作すれば、水の中でも使用できる。
また、台座１０は、挿げ具によって端部品３０を取付孔１４、１５に通し得れば、弾性素材でなくても、木等の孔が拡径しないものを採用し得る。このとき、端部品３０は変形して取付孔１４、１５を通り得る弾性素材とする。
さらに、端部品３０は、鼻緒２０のフィット感を無視すれば、鼻緒２０の末端を台座１０の取付孔１４、１５に挿通した後、その挿通した末端に取付け、鼻緒２０を引き戻すことによって台座１０に固定することもできる。
鼻緒２０は、シート状部材２２ｂで強度等を担保できれば、心材２２ａを挿入する必要はない。
【００３１】
このように、本願に係る発明においては、鼻緒２０の端部に鼻緒の末端整形用端部品３０を用いることによって、和鼻緒仕様の鼻緒２０における末端整形処理を行うと共に、同じ末端整形用端部品３０によって、鼻緒２０を履物台座１０の取付孔１４、１５に挿げて履物台座１０に鼻緒２０を固定することが可能となる。
すなわち、一つの部品で２つの機能を実現することが可能となるので、安価に和鼻緒を提供可能になると同時に、これに用いる挿げ具も和鼻緒以外の鼻緒の挿げ具と同じ挿げ具を利用可能である。このため、販売店などで履物台座に挿げる鼻緒として塩化ビニル等で製作された一体成型品の鼻緒と和風仕様のシート状部材で構成された鼻緒を混在して店頭販売し、これらの鼻緒を自由に選択してその選択した鼻緒を挿げることが可能になる。
【符号の説明】
【００３２】
１０  履物台座
１４、１５  鼻緒の末端（端部）の取付孔
１４ａ、１５ａ  同取付孔の縮径段部
２０  鼻緒
２１  前緒
２１ａ  前緒の通し孔
２１ｂ’前緒のシート状部材の末端
２２  横緒
２２ａ  横緒の心材
２２ｂ  横緒のシート状部材
２２ｂ’  横緒のシート状部材の末端
３０  鼻緒の末端整形処理用端部品
３１  同末端整形処理用端部品の第１部材
３１ａ  同第１部材の筒状体
３１ｂ、３１ｃ  同第１部材の端の鍔
３２  同末端整形処理用端部品の第２部材
３３  スリット
３４  調整輪
Ａ  履物  
【図１】
0005989149.tif 000002
【図２】
0005989149.tif 000003
【図３】
0005989149.tif 000004
【図４】
0005989149.tif 000005
【図５】
0005989149.tif 000006
【図６】
0005989149.tif 000007
【図７】
0005989149.tif 000008
【図８】
0005989149.tif 000009